(57)【要約】本記載は、遠心天井扇を開示する。天井扇は、ケーシング、モータ、および遠心プロペラを備える。ケーシングは、吸気口を有する上面および排気口を有する下面を備える。本発明の一実施形態にあっては、下面は、排気口を形成する複数の開口を含む丸みを帯びたボウル形の形状を有する。プロペラは、軸および、軸の周りに設けられた複数の翼板を備える。翼板は湾曲し、回転軸に対して実質的に垂直な第１方向と回転軸に対して実質的に平行な第２方向の間の、実質的に全ての方向に空気を押出して、部屋全体にわたって均一に空気を循環させる。天井扇は発熱体を含むことができ、天井扇から出る空気を加熱することができる。【選択図】図４
2013510256.tif 000002
【特許請求の範囲】
【請求項１】
遠心天井扇であって、
吸気口を有する上面および排気口を有する下面を備え、前記下面は上部領域と下部領域を有し、前記下面の直径は前記上部領域と下部領域の間で変化し、前記直径は前記下部領域よりも前記上部領域で大きくなるケーシングと、
回転軸および前記軸の周りに設けられた複数の翼板を有し、前記翼板は湾曲し、前記回転軸に対して実質的に垂直な第１方向と前記回転軸に対して実質的に平行な第２方向の間の、実質的に全ての方向に押出す遠心プロペラと、
前記遠心プロペラに動作可能に接続され、前記遠心プロペラを回転させるモータとを備え、前記モータおよび前記遠心プロペラは前記ケーシング内に設けられ、
前記遠心プロペラの回転により、空気を前記吸気口から取入れ、前記排気口から前記第１方向と前記第２方向の間の実質的に全ての方向に押出す、遠心天井扇。
【請求項２】
請求項１に記載の遠心天井扇であって、前記翼板は、前記直径の変化に対応して変化する幅を有する、遠心天井扇。
【請求項３】
請求項１に記載の遠心天井扇であって、前記下面が、ボウル形の形状を有する、遠心天井扇。
【請求項４】
請求項１に記載の遠心天井扇であって、前記上部領域および前記下部領域が、連結部によって接続される、遠心天井扇。
【請求項５】
請求項４に記載の遠心天井扇であって、前記連結部が間隔をあけて配置されて開口を形成し、その間に排気口を形成する、遠心天井扇。
【請求項６】
請求項４に記載の遠心天井扇であって、少なくとも１つの前記連結部が、空気を加熱する発熱体を含む、遠心天井扇。
【請求項７】
請求項４に記載の遠心天井扇であって、少なくとも１つの発熱体が、２つの連結部の間に設けられて空気を加熱する、遠心天井扇。
【請求項８】
請求項１に記載の遠心天井扇であって、さらに前記ケーシングの外側に設けられた空気調整器を備えた、遠心天井扇。
【請求項９】
請求項８に記載の遠心天井扇であって、前記空気調整器が、前記下面の上部領域と下部領域の間に間隔をあけて重なるように配置された複数のリングを備えて空気を配向する、遠心天井扇。
【請求項１０】
請求項９に記載の遠心天井扇であって、少なくとも二つのリング間の間隔が調整可能である、遠心天井扇。
【請求項１１】
請求項９に記載の遠心天井扇であって、少なくとも１つのリングの配向角度が調整可能である、遠心天井扇。
【請求項１２】
請求項１に記載の遠心天井扇であって、前記上面が蓋を形成し、前記下面の上部領域が開口を形成して前記蓋を支持する、遠心天井扇。
【請求項１３】
請求項１に記載の遠心天井扇であって、前記遠心プロペラが、前記回転軸に接続された上部プレートおよび下部プレートを備え、前記上部プレートおよび下部プレートは開口を有し、それぞれの翼板の上縁部および下縁部をそれぞれ受ける、遠心天井扇。
【請求項１４】
請求項１３に記載の遠心天井扇であって、
円筒形状で、第１端と第２端の間にフランジを備えたモータと、
前記上部プレートの上側で前記ケーシングの内側に配置された固定プレートとをさらに備え、前記固定プレートは開口を有し、前記開口は、前記モータの直径よりも大きいが、前記フランジの直径よりも小さい直径を有し、
前記モータが、前記固定プレートによって前記フランジを用いて支持され、
前記フランジの下側の前記モータの一部が前記開口を通って、前記遠心プロペラに接続する、遠心天井扇。
【請求項１５】
請求項１４に記載の遠心天井扇であって、前記モータと前記モータの一部の間に複数のスペーサが設けられ、前記モータを所定の位置で保持する、遠心天井扇。
【請求項１６】
請求項１に記載の遠心天井扇であって、空気の移動方向は、前記上部領域の近傍で前記回転軸に対して実質的に垂直であり、且つ、前記下部領域の近傍で前記回転軸に対して実質的に平行である、遠心天井扇。
【請求項１７】
遠心天井扇であって、
吸気口を有する上面および排気口を有する下面を備えたケーシングと、
動作可能にモータに接続され、気流を発生させる遠心プロペラとを備え、前記プロペラおよび前記モータは前記ケーシング内に設けられ、さらに
前記ケーシングの外側に設けられて、前記気流を方向づける空気調整器を備える、遠心天井扇。
【請求項１８】
請求項１７に記載の遠心プロペラであって、前記空気調整器は、前記下面の上部領域と下部領域の間で、間隔をあけて重なるように配置された複数のリングを備える、遠心プロペラ。
【請求項１９】
請求項１８に記載の遠心プロペラであって、少なくとも２つの前記リングの間隔が調整可能である、遠心プロペラ。
【請求項２０】
請求項１８に記載の遠心プロペラであって、少なくとも１つの前記リングの配向が調整可能である、遠心プロペラ。
【発明の詳細な説明】
【技術分野】
【０００１】
関連出願の相互参照
本願は、2009年11月2日出願の米国仮特許出願第61/257594号の優先権の利益を主張し、参照によりその開示全体を本明細書に援用する。
【０００２】
本発明が開示する内容は、天井扇に関する。
【背景技術】
【０００３】
図１は、従来の軸流型天井扇20を表す。天井扇20は、複数の羽根板22、ランプ24、羽根板を回転させるためのモータ26、および天井扇20を天井に取付けるための取付け手段28を備える。
【０００４】
この種の天井扇にはいくつかの問題がある。問題の１つは、部屋全体の空気の流れが不均一となることである。羽根板は回転軸線に対して垂直に設けられており、回転軸線と同一方向に空気を下方に押し出す。したがって、羽根板の半径よりも外側の領域は空気が循環しない。軸流扇に関する他の問題は、羽根板が占める空間、および回転する羽根板が露出していることに対する安全性の懸念を含んでいる。
【０００５】
この問題を解決するためにいくつかの試みがなされてきた。例えば、米国特許出願公開第2007/0247854号明細書は、図２に示されるような、羽根板がケースによって囲まれてなる天井扇を開示する。この参考文献に記載されている解決策は、安全性の問題のみに言及している。しかしながら、羽根板が占める空間は、図１に示すものと実質的に同一か、むしろ大きくなってしまい、空気の均一な循環に関する問題は残されたままである。
【０００６】
天井扇の大きさを低減させる１つの方法は、羽根板を短くすることである。しかし同程度の空気循環性能を得るためには、回転速度を上げなければならず、それはエネルギー消費量と騒音の増大をもたらす。
【０００７】
これらの問題に対する他の試みは、米国特許第1,699,201号、米国特許第4,473,000号、米国特許第4,768,424号、米国特許第7,381,129号等に開示される。これらの参考文献は、その他の費用上の１つの問題について言及している。
【先行技術文献】
【特許文献】
【０００８】
【特許文献１】米国特許出願公開第2007/0247853号明細書
【特許文献２】米国特許第1,699,201号明細書
【特許文献３】米国特許第4,473,000号明細書
【特許文献４】米国特許第4,768,424号明細書
【特許文献５】米国特許第7,381,129号明細書
【発明の概要】
【発明が解決しようとする課題】
【０００９】
したがって、効率的で、安全に使用でき、静かで、かつ、部屋全体にわたる均等な空気の循環を作り出すことができる空気循環システムが必要とされている。
【課題を解決するための手段】
【００１０】
本発明の一実施形態にあっては、羽根板の代わりに遠心羽根車を備えた、強制的に気流を発生させる遠心天井扇を提供する。この遠心羽根車は容器に覆われているため、回転部品が外部に露出することがない。装置に近接した物に対して羽根板が危険を及ぼすことを考慮すると、この構成により天井扇はより安全なものとなる。
【００１１】
本発明の第１の態様は、遠心天井扇であって、吸気口を有する上面および排気口を有する下面を備えたケーシングを備え、上記下面は上部領域と下部領域を有し、上記下面の直径は上記上部領域と下部領域の間で変化し、上記直径は下部領域よりも上部領域で大きくなる遠心天井扇を提供する。上記の遠心天井扇は、さらに回転軸および上記軸の周りに設けられた複数の翼板を有する遠心プロペラを備え、上記翼板は湾曲し、上記回転軸に対して実質的に垂直な第１方向と上記回転軸に対して実質的に平行な第２方向の間の、実質的に全ての方向に空気を押出す。さらにモータは、上記遠心プロペラに対して動作可能に接続され、上記遠心プロペラを回転させる。上記モータおよび上記遠心プロペラが上記ケーシング内に設けられる。遠心プロペラの回転により、上記吸気口から空気を取入れ、上記排気口から第１方向と第２方向の間の実質的に全ての方向に押出す。
【００１２】
本発明の一実施形態にあっては、翼板は前記直径の変化に対応して変化する幅を有する。
【００１３】
本発明の一実施形態にあっては、下面はボウル形の形状である。
【００１４】
本発明のさらなる実施形態にあっては、上部領域と下部領域が、連結部によって接続される。さらに他の実施形態にあっては、少なくとも１つの連結部が、空気を加熱する発熱体を含む。その他の実施形態にあっては、少なくとも１つの発熱体が、２つの連結部の間に設けられ、空気を加熱する。
【００１５】
ケーシングは、ケーシングの外側に設けられた空気調整器を備えることができる。本実施形態にあっては、空気調整器は、上部領域と下部領域で異なる直径をもつ複数のリングを備え、空気を配向する。本発明の一実施形態にあっては、少なくとも２つのリングの間隔は調整可能である。本発明の他の実施形態にあっては、少なくとも１つのリングの配向角度が調整可能である。
【００１６】
上面は、蓋を構成し、下面の上部領域は当該蓋を受ける開口を含むことができる。
【００１７】
本発明の一実施形態にあっては、遠心プロペラは、回転軸に接続された上部プレートおよび下部プレートを備え、当該上部プレートおよび下部プレートは開口を有し、それぞれの翼板の上縁部および下縁部をそれぞれ受ける。本実施形態にあっては、遠心天井扇は、円筒形状でその第１端と第２端の間にフランジを有するモータと、上記上部プレートの上側でケーシングの内側に配置された固定プレートとを備えることができ、固定プレートは開口を有し、当該開口は上記モータの直径よりも大きいが、上記フランジの直径よりも小さい直径を有し、上記モータが上記固定プレートによって上記フランジを用いて支持され、上記フランジの下側の上記モータの一部が、上記開口を通って、上記遠心プロペラに接続する。
【００１８】
本発明の一実施形態にあっては、モータとフランジの上側の上記モータの一部の間に複数のスペーサが形成され、上記モータを所定の位置で保持する。
【００１９】
本発明のさらなる実施形態にあっては、空気の移動方向は、上部領域の近傍で回転軸に対して実質的に垂直、且つ、下部領域の近傍で回転軸に対して実質的に平行である。
【００２０】
その他の態様において、遠心天井扇は、吸気口を有する上面および排気口を有する下面を備えたケーシングと、動作可能にモータに接続されて気流を発生させる遠心プロペラとを備え、上記プロペラおよび上記モータが上記ケーシング内に設けられ、さらに上記ケーシングの外側に設けられて、上記気流を配向する空気調整器を備える。
【００２１】
本発明の一実施形態にあっては、空気調整器は、上記下面の上部領域と下部領域の間で、間隔をあけて相互に重なるように配置された複数のリングを備える。
【００２２】
本発明の一実施形態にあっては、少なくとも２つのリングの間の間隔が調整可能である。本発明の他の実施形態にあっては、少なくとも１つのリングの配向が調整可能である。
【００２３】
本発明の特徴および効果は、添付図面にて例示した実施形態に関する以下の詳細な説明によって、より明確になる。当然のことながら、本明細書において開示され、また、請求される内容は、特許請求の範囲内で、様々な点において変更が可能である。したがって、図面および説明は具体的な例示に過ぎず限定的なものではなく、本発明の全体の範囲は、特許請求の範囲によって示される。
【００２４】
本発明のさらなる特徴および効果は、添付図面と組合せた、以下の詳細な説明によってより明確になる。
【図面の簡単な説明】
【００２５】
【図１】従来の軸流型天井扇を示す図である。
【図２】ケーシングを備えた従来の軸流型天井扇を示す図である。
【図３】本発明の一実施形態に従う遠心天井扇を示す図である。
【図４】図３に示す遠心天井扇の例示的な分解図である。
【図５】本発明の一実施形態に従う天井扇の、翼板の湾曲形状を示す図である。
【図６】図３に示す天井扇を通る空気の均一な流れの一例を示す図である。
【図７】空気調整器を有する本発明の一実施形態に従う天井扇を示す図である。
【図８】複数のリベットを有する本発明の一実施形態に従う遠心天井扇を示す図である。
【図９】本発明の一実施形態に従う回し車型の羽根車を示す図である。
【発明を実施するための形態】
【００２６】
添付図面の全体にわたって、同様の構成要素は、同様の参照符号によって識別される。
【００２７】
本発明の一実施形態にあっては、遠心天井扇が開示される。
【００２８】
当該天井扇はケーシング、モータおよび遠心プロペラを備える。ケーシングは、吸気口を有する上面と排気口を有する下面を備える。本発明の一実施形態にあっては、下面は丸みを帯びたボウル形の形状を有し、排気口を形成する複数の開口を含む。プロペラは軸および、軸の周りに設けられた複数の翼板を備える。翼板は湾曲した形状とすることができ、部屋全体にわたって均一に空気を循環させるために、回転軸に対して実質的に垂直な第１方向と回転軸に対して実質的に平行な第２方向の間の全ての方向に空気を押し出すことができる。天井扇は、発熱体を有し、天井扇から出る空気を加熱することができる。
【００２９】
図面を参照すると、図３は、本発明の一実施形態に従う遠心天井扇の一例を示す。図３に示すように、遠心天井扇40はケーシングを備える。本発明の一実施形態にあっては、ケーシングは丸みを帯びた形状を有し、排気口を有するボウル形の下側部分42と、蓋を形成し吸気口を有する上側部分43とを備える。下側部分42は上部領域44および下部領域46を有する。下側部分の直径は変化しており、下部領域46の直径よりも上部領域44の直径が大きい。上部領域および下部領域は複数の連結部48によって接続される。連結部48は、間隔をあけて配置され、それらの間の開口を形成する。開口は、上部領域44および下部領域46の間に拡がる。
【００３０】
遠心天井扇40は、遠心羽根車52および、羽根車52を回転させる電気モータ50（図４参照）を備える。天井扇40は、蓋43の上端部を通して、公知の取付け手段を用いて天井に取付け可能とすることができる。留め金または同等の固定手段を用いて、天井電気ボックスに装置全体を取付けることができる。
【００３１】
図４は、図３に示す遠心天井扇の例示的な分解図である。図４に示すように、羽根車は、２つのナット54の間に接続される回転軸52と、上部プレート58と下部プレート60の間で回転軸52の周りに角度をつけて設けられた複数の翼板56とを備える。本発明の一実施形態にあっては、上部プレート58および下部プレート60が複数の開口を有し、それぞれの翼板の上端部および下端部をそれぞれ受ける。
【００３２】
本実施形態にあっては、電気モータ50は円筒形状で、その２つの端部の間にフランジを有する。固定プレート62は、上部プレート58と蓋43の間に設けられ、モータ50を支持する。固定プレート62は、ケーシングの内側に配置され、また、モータの直径よりもわずかに大きいが、フランジの直径よりもわずかに小さい直径の開口64を有し、フランジの下側にモータの一部を収める。本発明の一実施形態にあっては、蓋43とプレート62の間に複数のスペーサ66が設けられ、モータ50を、ケーシング内の所定の位置で固定する。図４に示すように、スペーサ66は、フランジの上側でモータの上側部分を収めるよう寸法が定められる。蓋43自体が、モータ50を所定の位置で保持する形状となりえるので、スペーサ66は、任意で設ける部材であることに留意すべきである。
【００３３】
図４に示すように、ケーシングの上部領域44は、蓋43を収める開口を形成する。蓋43は、その上面と下面の間に接続される複数のリブ68を有する。リブ68は、間隔をあけて配置され、それらの間に開口を形成する。図４に示すように、上部プレート58および固定プレート62はさらに、空気が通過する複数の切抜き部を有する。
【００３４】
図６に示すように、排気口を通して部屋全体に均一に空気を循環させるために、翼板は湾曲し、回転軸に対して実質的に垂直な第１方向と回転軸に対して実質的に平行な第２方向の間の、実質的に全ての方向に空気を押出す。一例としての翼板の湾曲の様子を、図５に示す。翼板の幅を、ケーシング内に適合するように変えることができる。この例において、翼板の幅は、下縁部よりも上縁部において大きい。本発明の一実施形態にあっては、翼板の幅はケーシングの直径に対応する。
【００３５】
動作の間、モータ50が遠心羽根車52を回転させる。空気は、蓋に設けられた吸気口から入り、回転軸に対して実質的に垂直な第１方向と回転軸に対して実質的に平行な第２方向の間の全ての方向に向けられ、部屋全体を均一に通る。図６は、図３に示す天井扇を通過する空気の均一な流れの一例を示す。図６に示すように、空気は蓋43に設けられた吸気口から入り、固定プレート62、上部プレート58を通過して、そして部屋全体の全ての方向に押出される。図６に示すように、排気口を形成する下側部分42の形状および翼板56の形状の両方の働きにより、部屋全体にわたって均一な空気の循環を作り出すことができる。
【００３６】
本発明の一実施形態にあっては、発熱体を天井扇40に設けることで、天井扇を使用して、選択的に冷却または加熱を行うことができる。発熱体は羽根車とケーシングの間に配置され、ケーシングから出る気流を加熱することができる。これにより加熱費用は低減され、遠心天井扇40は経済的なものとなる。本発明の一実施形態にあっては、発熱体を連結部48上に設けることができる。本発明の他の実施形態にあっては、発熱体を連結部の間に設けてもよく、または、天井扇40から空気が出る1つ以上の開口にスクリーンとして設けてもよい。
【００３７】
モータ50および発熱体は電流によって起動する。モータ50および発熱体は、異なる種類の電流および電圧により作動しうる。モータおよび発熱体への電力の供給は、周知の技術を用いて実施することができる。
【００３８】
モータ50は、様々な部屋に応じて、また所定の部屋の気流の必要性または要求に応じて種々の速度設定が可能である。同様に、発熱体は、種々の部屋および加熱の必要性に応じた様々な加熱設定が可能である。モータ50および発熱体は共に、制御盤および／または市販の遠隔制御装置により、遠隔操作をすることが可能である。
【００３９】
本明細書に記載された種々の構成要素、例えば、モータ、制御盤、遠隔制御装置等は市販されており、本明細書に記載された目的のために選択して利用可能であることが当業者によって理解される。
【００４０】
本発明のその他の実施形態にあっては、天井扇は所望の方向に気流を配向する空気調整器を有することができる。図７は、本発明の一実施形態に従う空気調整器を有する天井扇を示す。空気調整器は一組のリング70を備える。リング70は、間隔をあけて重なるように配置される。リング70は異なる半径を有し、半径の最も大きいリングは上部領域44に最も近接しており、半径の最も小さいものは下部領域46により近接している。リングは、様々な方向に空気を向けるため、異なる角度で配置される。本発明の一実施形態にあっては、リング間の距離および／または各リングの角度は、利用者の要求、座る位置および／または部屋の大きさに応じて、利用者の手動および／または遠隔操作により調整可能とすることができる。例えば、天井が平均よりも高い場合、リングの角度は小さく設定され、空気は、壁に向かう垂直な方向ではなく、居住空間に向かって下方に押出される。
【００４１】
図８は、本発明の一実施形態に従う、ケーシングの周りに複数のリベット82を備えた遠心天井扇80を示す。これらのリベット82は、4分の1インチ（６．３５ｍｍ）間隔で配置することが可能であり、これは、気流を排出する際の抵抗とならない充分な間隔である。上述したように、羽根車は空気を所望の方向に向ける。遠心天井扇80は、顧客満足のために美的に設計されうる。本発明の一実施形態にあっては、リベットは発熱体を含み、ケーシングから出る空気を加熱することができる。
【００４２】
図９は、本発明の一実施形態に従う回し車型の羽根車を示す。本発明の一実施形態にあっては、気流の方向は、ケーシングおよび／または図7に示される上述の空気調整器の設計により定められる。本発明の他の実施形態にあっては、（図示しない）回し車の翼板が湾曲し、図３から図５の実施形態のように多方向に空気を押出すことが可能である。
【００４３】
上述した実施形態の何れにおいても、天井扇は照明器具を備えることができ、空気の循環と照明を同時に行うことが可能となる。なお、照明器具は、ケーシングの下部領域に設けられることが好ましい。
【００４４】
本発明の好ましい実施形態について上述し、また添付の図面に示したが、本開示の範囲を逸脱することなく変更を加えることが可能なことは、当業者にとって明らかである。この種の変更は、開示の範囲内に含まれる変形例と考えることができる。
【符号の説明】
【００４５】
40  遠心天井扇
42  下側部分
43  上側部分（蓋）
44  上部領域
46  下部領域
48  連結部
50  モータ
52  羽根車
54  ナット
56  翼板
58  上部プレート
60  下部プレート
62  固定プレート
64  開口
66  スペーサ
68  リブ
70  リング
【図１】
2013510256.tif 000003
【図２】
2013510256.tif 000004
【図３】
2013510256.tif 000005
【図４】
2013510256.tif 000006
【図５】
2013510256.tif 000007
【図６】
2013510256.tif 000008
【図７】
2013510256.tif 000009
【図８】
2013510256.tif 000010
【図９】
2013510256.tif 000011
【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
遠心天井扇であって、
吸気口を有する上面および排気口を有する下面を備え、前記下面は上部領域と下部領域を有し、前記下面の直径は前記上部領域と下部領域の間で変化し、前記直径は前記下部領域よりも前記上部領域で大きくなるケーシングと、
回転軸および前記軸の周りに設けられた複数の翼板を有し、前記翼板は湾曲し、前記回転軸に対して実質的に垂直な第１方向と前記回転軸に対して実質的に平行な第２方向の間の実質的に全ての方向に押出す遠心プロペラと、
前記遠心プロペラに動作可能に接続され、前記遠心プロペラを回転させるモータとを備え、前記モータおよび前記遠心プロペラは前記ケーシング内に設けられ、
前記遠心プロペラの回転により、空気を前記吸気口から取入れ、前記排気口から前記第１方向と前記第２方向の間の実質的に全ての方向に押出す、遠心天井扇。
【請求項２】
請求項１に記載の遠心天井扇であって、前記翼板は、前記直径の変化に対応して変化する幅を有する、遠心天井扇。
【請求項３】
請求項１に記載の遠心天井扇であって、前記下面が、ボウル形の形状を有する、遠心天井扇。
【請求項４】
請求項１に記載の遠心天井扇であって、前記上部領域および前記下部領域が、連結部によって接続される、遠心天井扇。
【請求項５】
請求項４に記載の遠心天井扇であって、前記連結部が間隔をあけて配置されて開口を形成し、その間に排気口を形成する、遠心天井扇。
【請求項６】
請求項４に記載の遠心天井扇であって、少なくとも１つの前記連結部が、空気を加熱する発熱体を有する、遠心天井扇。
【請求項７】
請求項４に記載の遠心天井扇であって、少なくとも１つの発熱体が、２つの連結部の間に設けられて空気を加熱する、遠心天井扇。
【請求項８】
請求項１に記載の遠心天井扇であって、前記ケーシングの外側に設けられた空気調整器をさらに備えた、遠心天井扇。
【請求項９】
請求項８に記載の遠心天井扇であって、前記空気調整器が、前記下面の上部領域と下部領域の間に間隔をあけて重なるように配置された複数のリングを備えて空気を配向する、遠心天井扇。
【請求項１０】
請求項９に記載の遠心天井扇であって、少なくとも２つの前記リングの間隔が調整可能である、遠心天井扇。
【請求項１１】
請求項９に記載の遠心天井扇であって、少なくとも１つの前記リングの配向角度が調整可能である、遠心天井扇。
【請求項１２】
請求項１に記載の遠心天井扇であって、前記上面が蓋を形成し、前記下面の上部領域が開口を形成して前記蓋を支持する、遠心天井扇。
【請求項１３】
請求項１に記載の遠心天井扇であって、前記遠心プロペラが、前記回転軸に接続された上部プレートおよび下部プレートを備え、前記上部プレートおよび下部プレートは開口を有し、それぞれの翼板の上縁部および下縁部をそれぞれ受ける、遠心天井扇。
【請求項１４】
請求項１３に記載の遠心天井扇であって、前記モータが円筒形状で、第１端と第２端の間にフランジを備え、
前記天井扇は、さらに、前記上部プレートの上側で前記ケーシングの内側に配置された固定プレートを備え、前記固定プレートは開口を有し、前記開口は、前記モータの直径よりも大きいが前記フランジの直径よりも小さい直径を有し、
前記モータが、前記固定プレートによって前記フランジを用いて支持され、前記フランジの下側の前記モータの一部が前記開口を通って、前記遠心プロペラに接続する、遠心天井扇。
【請求項１５】
請求項１４に記載の遠心天井扇であって、前記モータと前記モータの一部の間に複数のスペーサが設けられ、前記モータを所定の位置で保持する、遠心天井扇。
【請求項１６】
請求項１に記載の遠心天井扇であって、空気の移動方向は、前記上部領域の近傍で前記回転軸に対して実質的に垂直であり、且つ、前記下部領域の近傍で前記回転軸に対して実質的に平行である、遠心天井扇。
【請求項１７】
遠心天井扇であって、
吸気口を有する上面および排気口を有する下面を備えたケーシングと、
動作可能にモータに接続され、気流を発生させる遠心プロペラとを備え、前記プロペラおよび前記モータは前記ケーシング内に設けられ、さらに
前記ケーシングの外側に設けられて、前記気流を方向づける空気調整器を備える、遠心天井扇。
【請求項１８】
請求項１７に記載の遠心プロペラであって、前記空気調整器は、前記下面の上部領域と下部領域の間で、間隔をあけて重なるように配置された複数のリングを備える、遠心プロペラ。
【請求項１９】
請求項１８に記載の遠心プロペラであって、少なくとも２つの前記リングの間隔が調整可能である、遠心プロペラ。
【請求項２０】
請求項１８に記載の遠心プロペラであって、少なくとも１つの前記リングの配向が調整可能である、遠心プロペラ。
【請求項２１】
遠心天井扇であって、
吸気口を有する上面および排気口を有する下面を備えたケーシングと、
動作可能にモータに接続され、気流を発生させる遠心プロペラとを備え、前記プロペラおよび前記モータは前記ケーシング内に設けられ、さらに
発熱体を備え、前記気流を加熱する、遠心天井扇。
【請求項２２】
請求項２１に記載の遠心天井扇であって、前記発熱体が、前記ケーシングの外側に設けられてなる、遠心天井扇。
【請求項２３】
遠心天井扇であって、
吸気口を有する上面および排気口を有する下面を備え、前記下面は上部領域と下部領域を有し、前記下面の直径は前記上部領域と下部領域の間で変化し、前記直径は前記下部領域よりも前記上部領域で大きくなるケーシングと、
モータに動作可能に接続され、回転軸および前記軸の周りに設けられた複数の翼板を有する遠心プロペラとを備え、前記翼板は湾曲し、前記下面の直径に応じて変化する幅を有し、
前記翼板の回転により、前記上部領域の近傍で前記回転軸に対して実質的に垂直に、且つ、前記下面の前記下部領域の近傍で前記回転軸に対して実質的に平行に空気を押出す、遠心天井扇。
【請求項２４】
請求項２３に記載の遠心天井扇であって、前記下面の前記上部領域および前記下部領域が、連結部によって接続される、遠心天井扇。
【請求項２５】
請求項２４に記載の遠心天井扇であって、前記連結部が間隔をあけて配置されて開口を形成し、その間に排気口を形成する、遠心天井扇。
【請求項２６】
請求項２４に記載の遠心天井扇であって、少なくとも１つの前記連結部が、空気を加熱する発熱体を有する、遠心天井扇。
【請求項２７】
請求項２４に記載の遠心天井扇であって、少なくとも１つの発熱体が、２つの連結部の間に設けられて空気を加熱する、遠心天井扇。
【請求項２８】
請求項２３に記載の遠心天井扇であって、前記ケーシングの外側に設けられた空気調整器をさらに備えた、遠心天井扇。
【請求項２９】
請求項２８に記載の遠心天井扇であって、前記空気調整器が、前記下面の上部領域と下部領域の間に間隔をあけて重なるように配置された複数のリングを備えて空気を配向する、遠心天井扇。
【請求項３０】
請求項２９に記載の遠心天井扇であって、少なくとも２つの前記リングの間隔が調整可能である、遠心天井扇。
【請求項３１】
請求項２９に記載の遠心天井扇であって、少なくとも１つの前記リングの配向角度が調整可能である、遠心天井扇。
【国際調査報告】
2013510256.tif 000012
2013510256.tif 000013
2013510256.tif 000014